(57)【要約】【課題】送信対象のメールに対して、関連性の高いコンテンツから優先して提示し、ユーザ自身が複数のコンテンツから添付するコンテンツを検索する操作を簡略化することができる通信端末装置及び情報提示方法を提供すること。【解決手段】送信対象のメールにコンテンツを添付して送信する通信端末装置であって、コンテンツを複数蓄積するコンテンツ蓄積手段６５と、前記メールから第１のキーワード群を抽出するキーワード抽出手段２０と、前記第１のキーワード群と、各コンテンツに関連付けて蓄積された第２のキーワード群とに基づいて、前記コンテンツを提示する順番を決定するコンテンツ検索手段６０と、前記順番に従って、複数のコンテンツを提示する提示手段９０と、を備えた構成を有する。【選択図】図１
2007219903.tif 000002
【特許請求の範囲】
【請求項１】
送信対象のメールにコンテンツを添付して送信する通信端末装置であって、
前記メールから第１のキーワード群を抽出するキーワード抽出手段と、
コンテンツと、前記コンテンツに関連付けられた第２のキーワード群とを複数蓄積するコンテンツ蓄積手段と、
前記第１のキーワード群と、前記第２のキーワード群とに基づいて、前記コンテンツを提示する順番を決定するコンテンツ検索手段と、
前記順番に従って、複数のコンテンツを提示する提示手段と、を有することを特徴とする通信端末装置。
【請求項２】
前記第１のキーワード群に属する各キーワードの分類種別を決定するキーワード分類手段をさらに有し、
前記コンテンツ検索手段は、前記第１のキーワード群に属するキーワードと、前記第２のキーワード群に属するキーワードとを前記分類種別毎に比較し、前記コンテンツを提示する順番を決定することを特徴とする請求項１記載の通信端末装置。
【請求項３】
前記コンテンツ検索手段は、前記第１のキーワード群に属するキーワードと、前記第２のキーワード群に属するキーワードとを前記分類種別毎に比較して算出したスコアの合計に基づき、前記順番を決定することを特徴とする請求項２記載の通信端末装置。
【請求項４】
前記コンテンツ検索手段は、前記分類種別毎に設定された係数を用いて前記スコアを算出することを特徴とする請求項３記載の通信端末装置。
【請求項５】
前記提示手段は、前記スコアの合計の降順に、複数の前記コンテンツを提示することを特徴とする請求項３記載の通信端末装置。
【請求項６】
現在日時を示す日時情報を管理する計時手段と、
現在地を示す位置情報を取得する位置情報取得手段と、をさらに有し、
前記キーワード抽出手段は、前記日時情報および前記位置情報を取得し、前記第１のキーワード群として抽出することを特徴とする請求項１記載の通信端末装置。
【請求項７】
送信対象のメールに添付する候補として複数のコンテンツを提示する情報提示方法であって、
前記メールから第１のキーワード群を抽出するキーワード抽出ステップと、
前記第１のキーワード群と、各コンテンツに関連付けて蓄積された第２のキーワード群とに基づいて、前記コンテンツを提示する順番を決定するコンテンツ検索ステップと、
前記順番に従って、複数のコンテンツを提示する提示ステップと、を有することを特徴とする情報提示方法。
【請求項８】
前記第１のキーワード群に属する各キーワードの分類種別を決定するキーワード分類ステップをさらに有し、
前記コンテンツ検索ステップは、前記第１のキーワード群に属するキーワードと、前記第２のキーワード群に属するキーワードとを前記分類種別毎に比較し、前記コンテンツを提示する順番を決定することを特徴とする請求項７記載の情報提示方法。
【請求項９】
前記コンテンツ検索ステップは、前記第１のキーワード群に属するキーワードと、前記第２のキーワード群に属するキーワードとを前記分類種別毎に比較して算出したスコアの合計に基づき、前記順番を決定することを特徴とする請求項８記載の情報提示方法。
【請求項１０】
前記コンテンツ検索ステップは、前記分類種別毎に設定された係数を用いて前記スコアを算出することを特徴とする請求項９記載の情報提示方法。
【請求項１１】
前記提示ステップは、前記スコアの合計の降順に、複数の前記コンテンツを提示することを特徴とする請求項９記載の情報提示方法。
【請求項１２】
現在日時を示す日時情報を管理する計時ステップと、
現在地を示す位置情報を取得する位置情報取得ステップと、をさらに有し、
前記キーワード抽出ステップは、前記日時情報および前記位置情報を取得し、前記第１のキーワード群として抽出することを特徴とする請求項７記載の情報提示方法。
【発明の詳細な説明】
【技術分野】
【０００１】
本発明は、通信端末装置に関し、特に、画像や音楽等のコンテンツを保存することができる通信端末装置に関するものである。
【背景技術】
【０００２】
近年、携帯電話機やＰＤＡ（Ｐｅｒｓｏｎａｌ  Ｄｉｇｉｔａｌ  Ａｓｓｉｓｔａｎｃｅ）等の通信端末装置は、メモリ容量の増加等に伴って、多くの画像や音楽等のコンテンツを保存することができるようになっている。こうしたなか、ユーザは、電子メール等にコンテンツを添付して送付する場合、保存されている多くのコンテンツの中から、所望のコンテンツを探し出すことが容易ではない状況にある。
従来の電子メール装置は、ユーザが作成したメールにコンテンツを添付する際、メールからキーワードを抽出し、そのキーワードに対応したコンテンツを添付候補として提示することで、ユーザ自身がコンテンツを検索する操作を簡略化できるようにしている。（例えば、特許文献１参照）。
【特許文献１】特開２００４−３３４３０５号公報
【発明の開示】
【発明が解決しようとする課題】
【０００３】
しかしながら、上記従来の装置では、メールから複数のキーワードを抽出した場合、キーワード毎に対応するコンテンツを添付候補として提示するため、メールに含まれる題名、本文等の内容全体からは意図しない不要なコンテンツが提示されてしまうおそれがあり、ユーザが所望のコンテンツを選択するときの操作が煩雑になるといった課題があった。
本発明は、従来の問題を解決するためになされたもので、メールに含まれる題名、本文等の内容全体に対して、関連性の高いコンテンツから優先して提示することのできる通信端末装置及び情報提示方法を提供することを目的とする。
【課題を解決するための手段】
【０００４】
本発明の通信端末装置は、送信対象のメールにコンテンツを添付して送信する通信端末装置であって、前記メールから第１のキーワード群を抽出するキーワード抽出手段と、コンテンツと、前記コンテンツに関連付けられた第２のキーワード群とを複数蓄積するコンテンツ蓄積手段と、前記第１のキーワード群と、前記第２のキーワード群とに基づいて、前記コンテンツを提示する順番を決定するコンテンツ検索手段と、前記順番に従って、複数のコンテンツを提示する提示手段と、を備えた構成を有する。
この構成により、送信対象のメールから抽出した第１のキーワード群に対して、関連性の高い第２のキーワード群を持つコンテンツを優先して提示することができ、ユーザ自身がコンテンツを検索する操作を簡略化し、利便性を向上させることができる。
【０００５】
また、本発明の通信端末装置は、前記第１のキーワード群に属する各キーワードの分類種別を決定するキーワード分類手段をさらに有し、前記コンテンツ検索手段が、前記第１のキーワード群に属するキーワードと、前記第２のキーワード群に属するキーワードとを前記分類種別毎に比較し、前記コンテンツを提示する順番を決定する構成を有する。
この構成により、第１のキーワード群と、第２のキーワード群との共通の分類種別に属するキーワード（例えば、共通の分類種別が人物であるときは、メール作成者とコンテンツ作成者など）を比較することで、送信対象のメールに対して、関連性の高いコンテンツを特定することができる。
【０００６】
また、本発明の通信端末装置は、前記コンテンツ検索手段が、前記第１のキーワード群に属するキーワードと、前記第２のキーワード群に属するキーワードとを前記分類種別毎に比較して算出したスコアの合計に基づき、前記順番を決定する構成を有する。
この構成により、送信対象のメールに対して、スコアの合計が高いコンテンツから優先して提示することができ、ユーザ自身がコンテンツを検索する操作を簡略化し、利便性を向上させることができる。
【０００７】
また、本発明の通信端末装置は、前記コンテンツ検索手段が、前記分類種別毎に設定された係数を用いて前記スコアを算出する構成を有する。
この構成により、第１のキーワード群に属するキーワードと、第２のキーワード群に属するキーワードとを比較するときに、分類種別毎に重みづけをすることができ、送信対象のメールに対して、関連性の高いコンテンツを特定することができる。
【０００８】
また、本発明の通信端末装置は、前記提示手段が、前記スコアの合計の降順に、複数の前記コンテンツを提示する構成を有する。
この構成により、送信対象のメールに対して、スコアの合計が高いコンテンツから優先して提示することができ、ユーザ自身がコンテンツを検索する操作を簡略化し、利便性を向上させることができる。
【０００９】
また、本発明の通信端末装置は、現在日時を示す日時情報を管理する計時手段と、現在地を示す位置情報を取得する位置情報取得手段と、をさらに有し、前記キーワード抽出手段が、前記日時情報および前記位置情報を取得し、前記第１のキーワード群として抽出する構成を有する。
この構成により、送信対象のメールの作成日および作成場所と、各コンテンツの作成日および作成場所とを比較することで、送信対象のメールに対して、関連性の高いコンテンツを特定することができる。
【００１０】
また、本発明の情報提示方法は、送信対象のメールに添付する候補として複数のコンテンツを提示する情報提示方法であって、前記メールから第１のキーワード群を抽出するキーワード抽出ステップと、前記第１のキーワード群と、各コンテンツに関連付けて蓄積された第２のキーワード群とに基づいて、前記コンテンツを提示する順番を決定するコンテンツ検索ステップと、前記順番に従って、複数のコンテンツを提示する提示ステップと、を有する。
この方法により、送信対象のメールから抽出した第１のキーワード群に対して、関連性の高い第２のキーワード群を持つコンテンツを優先して提示することができ、ユーザ自身がコンテンツを検索する操作を簡略化し、利便性を向上させることができる。
【００１１】
また、本発明の情報提示方法は、前記第１のキーワード群に属する各キーワードの分類種別を決定するキーワード分類ステップをさらに有し、前記コンテンツ検索ステップが、前記第１のキーワード群に属するキーワードと、前記第２のキーワード群に属するキーワードとを前記分類種別毎に比較し、前記コンテンツを提示する順番を決定する。
この方法により、第１のキーワード群と、第２のキーワード群との共通の分類種別に属するキーワード（例えば、共通の分類種別が人物であるときは、メール作成者とコンテンツ作成者など）を比較することで、送信対象のメールに対して、関連性の高いコンテンツを特定することができる。
【００１２】
また、本発明の情報提示方法は、前記コンテンツ検索ステップが、前記第１のキーワード群に属するキーワードと、前記第２のキーワード群に属するキーワードとを前記分類種別毎に比較して算出したスコアの合計に基づき、前記順番を決定する。
この方法により、送信対象のメールに対して、スコアの合計が高いコンテンツから優先して提示することができ、ユーザ自身がコンテンツを検索する操作を簡略化し、利便性を向上させることができる。
【００１３】
また、本発明の情報提示方法は、前記コンテンツ検索ステップが、前記分類種別毎に設定された係数を用いて前記スコアを算出する。
この方法により、第１のキーワード群に属するキーワードと、第２のキーワード群に属するキーワードとを比較するときに、分類種別毎に重みづけをすることができ、送信対象のメールに対して、関連性の高いコンテンツを特定することができる。
【００１４】
また、本発明の情報提示方法は、前記提示ステップが、前記スコアの合計の降順に、複数の前記コンテンツを提示する。
この方法により、送信対象のメールに対して、スコアの合計が高いコンテンツから優先して提示することができ、ユーザ自身がコンテンツを検索する操作を簡略化し、利便性を向上させることができる。
【００１５】
また、本発明の情報提示方法は、現在日時を示す日時情報を管理する計時ステップと、現在地を示す位置情報を取得する位置情報取得ステップと、をさらに有し、前記キーワード抽出ステップが、前記日時情報および前記位置情報を取得し、前記第１のキーワード群として抽出する。
この方法により、送信対象のメールの作成日および作成場所と、各コンテンツの作成日および作成場所とを比較することで、送信対象のメールに対して、関連性の高いコンテンツを特定することができる。
【発明の効果】
【００１６】
本発明は、メールに含まれる題名、本文等の内容全体に対して、関連性の高いコンテンツを優先して提示することのできる通信端末装置及び情報提示方法を提供することができるものである。
【発明を実施するための最良の形態】
【００１７】
以下、本発明の実施の形態について、図面を用いて説明する。なお、実施の形態を説明するための全図において、同一の構成要素には同一符号を付与し、重複する説明は省略する。
【００１８】
（実施の形態１）
本発明の実施の形態１は、通信端末装置が携帯電話機である場合を例にして説明する。
図１は、本発明の実施の形態１における携帯電話機１の構成を示すブロック図である。
図１において、携帯電話機１は、メール作成手段１０、キーワード抽出手段２０、計時手段３０、位置情報取得手段４０、キーワード分類手段５０、分類情報蓄積手段５５、コンテンツ検索手段６０、コンテンツ蓄積手段６５、コンテンツ選択手段７０、入力手段８０、提示手段９０、および送信手段１００から構成されている。
【００１９】
メール作成手段１０は、ユーザが入力したメールの内容を受け付け、送信先アドレス、題名、本文等からなる送信対象メール１０１を記憶している。また、メール作成手段１０は、送信対象メール１０１にコンテンツを添付するとき、キーワード抽出手段２０に送信対象メール１０１を出力する。また、メール作成手段１０は、送信対象メール１０１に添付コンテンツ７０２を付加した添付済メール１０２を送信手段１００に出力する。
【００２０】
キーワード抽出手段２０は、メール作成手段１０から出力された送信対象メール１０１について、語句解析により文章を単語に分解した後、名詞、助詞、絵文字等に分けて、名詞と絵文字を抽出する。また、キーワード抽出手段２０は、計時手段３０から現在日時を示す日時情報３０１を、位置情報取得手段４０から現在地を示す位置情報４０１をそれぞれ取得する。また、キーワード抽出手段２０は、送信対象メール１０１から抽出した名詞および絵文字と、日時情報３０１と、位置情報４０１とをキーワード２０１としてキーワード分類手段５０に出力する。
【００２１】
計時手段３０は、現在日時を計時しており、キーワード抽出手段２０から取得要求を受信すると、現在日時を日時情報３０１として出力する。
【００２２】
位置情報取得手段４０は、キーワード抽出手段２０から取得要求を受信すると、ＧＰＳ（Ｇｌｏｂａｌ  Ｐｏｓｉｔｉｏｎｉｎｇ  Ｓｙｓｔｅｍ）衛星（図示せず）から受信した航法メッセージによって携帯電話機１の現在地を特定し、位置情報４０１を出力する。なお、ここでは例として、位置情報４０１は、都道府県および市区町村を示す情報として説明するが、緯度経度を示す情報であってもよい。
【００２３】
キーワード分類手段５０は、分類情報蓄積手段５５を参照し、キーワード２０１に対応する分類種別５５１をそれぞれ取得する。また、キーワード分類手段５０は、キーワード２０１と、分類情報蓄積手段５５から取得した分類種別５５１とを関連付けた第１のキーワード群５０１（以下、メールキーワード群という）をコンテンツ検索手段６０に出力する。
【００２４】
分類情報蓄積手段５５は、分類種別５５１（日時、場所、人物等のカテゴリを示す）と、各分類種別５５１に属するキーワードとを蓄積している。例えば、分類情報蓄積手段５５は、「今日」、「明日」などの日時を示すキーワードは、分類情報「日時」に属するものとして蓄積している。また、同様に、「山田太郎」、「鈴木次郎」などの人物を示すキーワードは、分類情報「人物」に属するものとして蓄積している。
【００２５】
コンテンツ検索手段６０は、コンテンツ蓄積手段６５を参照し、各コンテンツに関連付けて蓄積されている第２のキーワード群６５１（以下、コンテンツキーワード群という）を取得する。また、コンテンツ検索手段６０は、メールキーワード群５０１に属するキーワードと、コンテンツキーワード群６５１に属するキーワードとの内容を分類種別毎に比較し、一致する度合（以下、スコアという）を予め定められた算出テーブルを用いて算出する。また、コンテンツ検索手段６０は、コンテンツ蓄積手段６５に蓄積されているコンテンツ６５２を算出テーブルで用いて算出したスコアの合計が高い順番に取得する。また、コンテンツ検索手段６０は、コンテンツ６５２と、コンテンツ６５２の取得した順番（以下、候補順位という）とを検索結果情報６０１として、コンテンツ選択手段７０に出力する。
【００２６】
コンテンツ蓄積手段６５は、画像等のコンテンツを複数蓄積している。各コンテンツは、日時、場所、人物等の分類種別５５１と、分類種別５５１に属するキーワードとがコンテンツキーワード群６５１として予め付加されて蓄積されているものとする。
【００２７】
コンテンツ選択手段７０は、コンテンツ検索手段６０から受信した検索結果情報６０１に含まれる候補順位に従って、コンテンツ６５２を一覧形式で上位から配置した候補一覧情報７０１を提示手段９０に出力する。これにより、コンテンツ蓄積手段６５に蓄積された複数のコンテンツの中から、送信対象メール１０１に対して、関連性の高いコンテンツから優先して提示することができる。また、コンテンツ選択手段７０は、入力手段８０から入力された選択指示８０１に基づき、複数のコンテンツから少なくとも１つのコンテンツを添付コンテンツ７０２として、メール作成手段１０に出力する。
【００２８】
入力手段８０は、ボタンやマウスなどの入力デバイスであり、操作入力を検知して、コンテンツ選択手段７０に選択指示８０１を出力する。
【００２９】
提示手段９０は、表示ディスプレイなどの出力デバイスであり、コンテンツ選択手段７０から出力された候補一覧情報７０１に従って、コンテンツの一覧を表示する。
【００３０】
送信手段１００は、ビルの屋上や電波塔等として複数設置されている基地局（図示せず）と無線通信を行い、メール作成手段１０から出力された添付済メール１０２を送信する。
【００３１】
図２は、本発明の実施の形態１における分類情報蓄積手段５５に蓄積されている分類種別５５１と、各分類種別５５１に属するキーワード２０１とを示す図である。
【００３２】
分類情報蓄積手段５５は、分類種別５５１と、各分類種別５５１に属するキーワード２０１とを１つのレコードとしてテーブルＴ２１に蓄積している。
【００３３】
レコードＲ２１は、分類種別５５１「日時」に属するキーワード２０１を示している。ここでは例として、「○○年」、「○○月」、または「○○日」等の日時情報３０１を示す語句や、「昨日」、「今日」または「明日」等の語句が、分類種別５５１「日時」に属するキーワード２０１として対応付けられている。
【００３４】
レコードＲ２２は、分類種別５５１「場所」に属するキーワード２０１を示している。ここでは例として、「○○県」、「○○市」、「○○町」等の位置情報４０１を示す語句や、「××カントリー倶楽部」、「○○浜」、「△△ドーム」等の場所を示す語句が、分類種別５５１「場所」に属するキーワード２０１として対応付けられている。
【００３５】
レコードＲ２３は、分類種別５５１「人物」に属するキーワード２０１を示している。ここでは例として、「松下太郎」、「鈴木次郎」等の人物名を示す語句が、分類種別５５１「人物」に属するキーワード２０１として対応付けられている。
【００３６】
レコードＲ２４は、分類種別５５１「風景」に属するキーワード２０１を示している。ここでは例として、「海」、「山」、「夜景」等の語句が、分類種別５５１「風景」に属するキーワード２０１として対応付けられている。
【００３７】
レコードＲ２５は、分類種別５５１「動物」に属するキーワード２０１を示している。ここでは例として、「犬」、「猫」等の動物名を示す語句が、分類種別５５１「動物」に属するキーワード２０１として対応付けられている。
【００３８】
レコードＲ２６は、分類種別５５１「物体」に属するキーワード２０１を示している。ここでは例として、「お好み焼き」、「ひまわり」等の料理名や植物名等を示す語句が、分類種別５５１「物体」に属するキーワード２０１として対応付けられている。
【００３９】
レコードＲ２７は、分類種別５５１「その他文字」に属するキーワード２０１を示している。ここでは例として「ビーチバレー」、「野球」等の語句が、分類種別５５１「その他文字」に属するキーワード２０１として対応付けられている。なお、電話番号やＵＲＬ等を示す語句を分類種別５５１「その他文字」に対応付けて蓄積してもよい。
【００４０】
レコードＲ２８は、分類種別５５１「感情」に属するキーワード２０１を示している。ここでは例として、「喜び（強）」、「哀しみ（弱）」等の喜怒哀楽の種類と、その強さを示す絵文字が、分類種別５５１「感情」に属するキーワード２０１として対応付けられている。
【００４１】
図３は、本発明の実施の形態１におけるコンテンツ蓄積手段６５に蓄積されている３つのコンテンツの内容を示す図である。
【００４２】
図３（ａ）は、コンテンツ蓄積手段６５に蓄積されているコンテンツＣ３１の内容を示す図である。
コンテンツＣ３１には、山が見えるゴルフ場で、人物Ｈ３１「松下太郎」がゴルフをしている様子が写っている。
図３（ｂ）は、コンテンツ蓄積手段６５に蓄積されているコンテンツＣ３２の内容を示す図である。
コンテンツＣ３２には、砂浜で人物Ｈ３２「鈴木次郎」と人物Ｈ３３「田中三郎」とがビーチバレーをしている様子が写っている。  
図３（ｃ）は、コンテンツ蓄積手段６５に蓄積されているコンテンツＣ３３の内容を示す図である。
コンテンツＣ３３には、人物Ｈ３１「松下太郎」がお好み焼きを食べている様子が写っている。
【００４３】
図４は、本発明の実施の形態１におけるコンテンツ蓄積手段６５に蓄積されているコンテンツＣ３１〜Ｃ３３にそれぞれ予め関連付けられているコンテンツキーワード群ＣＫＷ４１〜ＣＫＷ４３の内容を示す図である。ここで、各コンテンツキーワード群は、分類種別５５１と、その分類種別５５１に属するキーワードとが１つのレコードとして蓄積されているものとする。
【００４４】
図４（ａ）は、本発明の実施の形態１におけるコンテンツＣ３１に関連付けられているコンテンツキーワード群ＣＫＷ４１の内容を示す図である。
【００４５】
レコードＲ４１１は、分類種別「日時」に属するキーワードを示している。ここでは例として、コンテンツＣ３１が２００５年５月１５日に作成されたものとして、「２００５年５月１５日」をキーワードとしている。
【００４６】
レコードＲ４１２は、分類種別「場所」に属するキーワードを示している。ここでは例として、コンテンツＣ３１が××カントリー倶楽部（○○県△△市××町）で作成されたものとして、「××カントリー倶楽部（○○県△△市××町）」をキーワードとしている。
【００４７】
レコードＲ４１３は、分類種別「人物」に属するキーワードを示している。ここでは例として、コンテンツＣ３１に写っている人物Ｈ３１「松下太郎」をキーワードとしている。
【００４８】
レコードＲ４１４は、分類種別「風景」に属するキーワードを示している。ここでは例として、コンテンツＣ３１に写っている風景「山」をキーワードとしている。
【００４９】
レコードＲ４１５は、分類種別「動物」に属するキーワードを示している。ここでは、コンテンツＣ３１に人物以外の動物が写っていないものとして、「なし」をキーワードとしている。
【００５０】
レコードＲ４１６は、分類種別「物体」に属するキーワードを示している。ここでは例として、コンテンツＣ３１に写っている物体「ゴルフクラブ」をキーワードとしている。
【００５１】
レコードＲ４１７は、分類種別「その他文字」に属するキーワードを示している。ここでは、コンテンツＣ３１に文字が写っていないものとして、「なし」をキーワードとしている。
【００５２】
レコードＲ４１８は、分類種別「感情」に属するキーワードを示している。ここでは、コンテンツＣ３１に写っている主要な人物Ｈ３１の喜怒哀楽の種類を読み取れるコンテンツではないものとして、「なし」をキーワードとしている。
【００５３】
図４（ｂ）は、本発明の実施の形態１におけるコンテンツＣ３２に関連付けられているコンテンツキーワード群ＣＫＷ４２の内容を示す図である。
【００５４】
レコードＲ４２１〜４２８は、各分類種別に属するキーワードをそれぞれ示している。具体的には、「日時」に「２００５年８月３日」、「場所」に「○○浜（△△県××市○○町）、「人物」に「鈴木次郎、田中三郎」、「風景」に「海」、「動物」に「なし」、「物体」に「ボール」、「その他文字」に「なし」、「感情」に「楽しい（強）」がそれぞれ属する。
【００５５】
図４（ｃ）は、本発明の実施の形態１におけるコンテンツＣ３３にメタデータとして予め付加されているコンテンツキーワード群ＣＫＷ４３の内容を示す図である。
【００５６】
レコードＲ４３１〜４３８は、各分類種別に属するキーワードをそれぞれ示している。具体的には、「日時」に「２００５年８月３日」、「場所」に「△△県××市□□町」、「人物」に「松下太郎」、「風景」に「なし」、「動物」に「なし」、「物体」に「お好み焼き」、「その他文字」に「なし」、「感情」に「喜び（強）」がそれぞれ属する。
【００５７】
図５は、本発明の実施の形態１におけるコンテンツ検索手段６０が、メールキーワード群５０１と、コンテンツキーワード群６５１との内容を比較し、スコアを算出するテーブルを示す図である。
【００５８】
テーブルＴ５１は、メールキーワード群５０１およびコンテンツキーワード群６５１に含まれる分類種別毎に、重み付けを示す係数、およびキーワードの内容が一致する度合を示す３段階の基準が、１つのレコードとして予め設定されている。
【００５９】
コンテンツ検索手段６０は、テーブルＴ５１を用いて、分類種別毎に設定された重み付けを示す係数（５、３、２または１のいずれか）と、３段階のいずれかの基準を満たすことにより得られるポイント（５、３または０のいずれか）とを掛け合わせたスコアを算出する。そして、コンテンツ検索手段６０は、全ての分類種別について算出したスコアを足し合わせた合計値を算出する。
【００６０】
レコードＲ５１は、分類種別「日時」の係数および３段階の基準の内容を示している。分類種別「日時」の係数は「５」に設定されている。また、分類種別「日時」について、コンテンツキーワード群６５１に含まれる画像作成日が、メールキーワード群５０１に含まれるメール作成日と一致する場合、ポイントに「５」が設定されている。また、画像作成日が、メール作成日の前日から３日前までの場合、ポイントに「３」が設定されている。また、画像作成日が、メール作成日の４日前以前など、上記以外の場合、ポイントに「０」が設定されている。
【００６１】
レコードＲ５２は、分類種別「場所」の係数および３段階の基準の内容を示している。分類種別「場所」の係数は「３」に設定されている。また、分類種別「場所」について、コンテンツキーワード群６５１に含まれる場所名または町村と、メールキーワード群５０１に含まれる場所名または町村が一致する場合、ポイントに「５」が設定されている。また、場所名および町村が一致しないが、市区が一致する場合、ポイントに「３」が設定されている。また、場所名、町村および市区が一致しないが、都道府県が一致する場合など、上記以外の場合、ポイントに「０」が設定されている。なお、ここでは、場所名または町村によって、一致するか否かを判定するものとしたが、互いの緯度経度から算出した距離に応じて、ポイントを付与するようにしてもよい（例えば、互いの場所が半径５ｋｍ以内の場合、ポイント「５」を付与し、互いの場所が半径３０ｋｍ以内の場合、ポイント「３」を付与するなど）。
【００６２】
レコードＲ５３は、分類種別「人物」の係数および３段階の基準の内容を示している。分類種別「人物」の係数は「５」に設定されている。また、分類種別「人物」について、コンテンツキーワード群６５１に含まれる人物名と、メールキーワード群５０１に含まれる人物名が一致する場合、ポイントに「５」が設定されている。また、人物名は一致しないが、コンテンツキーワード群６５１に人物名が含まれている場合、ポイントに「３」が設定されている。また、コンテンツキーワード群６５１に人物名が含まれていない場合など、上記以外の場合、ポイントに「０」が設定されている。
【００６３】
レコードＲ５４は、分類種別「風景」の係数および３段階の基準の内容を示している。分類種別「風景」の係数は「１」に設定されている。また、分類種別「風景」について、コンテンツキーワード群６５１に含まれる風景名（海、山等）と、メールキーワード群５０１に含まれる風景名が一致する場合、ポイントに「５」が設定されている。また、風景名は一致しないが、コンテンツキーワード群６５１に風景名が含まれている場合、ポイントに「３」が設定されている。また、コンテンツキーワード群６５１に風景名が含まれていない場合など、上記以外の場合、ポイントに「０」が設定されている。
【００６４】
レコードＲ５５は、分類種別「動物」の係数および３段階の基準の内容を示している。分類種別「動物」の係数は「３」に設定されている。また、分類種別「動物」について、コンテンツキーワード群６５１に含まれる動物名（犬、猫等）と、メールキーワード群５０１に含まれる動物名が一致する場合、ポイントに「５」が設定されている。また、動物名は一致しないが、コンテンツキーワード群６５１に動物名が含まれている場合、ポイントに「３」が設定されている。また、コンテンツキーワード群６５１に動物名が含まれていない場合など、上記以外の場合、ポイントに「０」が設定されている。
【００６５】
レコードＲ５６は、分類種別「物体」の係数および３段階の基準の内容を示している。分類種別「物体」の係数は「２」に設定されている。また、分類種別「物体」について、コンテンツキーワード群６５１に含まれる物体名（料理名、植物名等）と、メールキーワード群５０１に含まれる物体名が一致する場合、ポイントに「５」が設定されている。また、物体名は一致しないが、コンテンツキーワード群６５１に物体名が含まれている場合、ポイントに「３」が設定されている。また、コンテンツキーワード群６５１に物体名が含まれていない場合など、上記以外の場合、ポイントに「０」が設定されている。
【００６６】
レコードＲ５７は、分類種別「その他文字」の係数および３段階の基準の内容を示している。分類種別「その他文字」の係数は「２」に設定されている。また、分類種別「その他文字」について、コンテンツキーワード群６５１に含まれる文字列と、メールキーワード群５０１に含まれる文字列が完全一致する場合（例えば、「あいうえお」と「あいうえお」等）、ポイントに「５」が設定されている。また、互いの文字列が５０％以上且つ１００％未満で一致する場合（例えば、「あいうえお」と「あきうけお」）、ポイントに「３」が設定されている。また、コンテンツキーワード群６５１に文字が含まれていない場合など、上記以外の場合、ポイントに「０」が設定されている。
【００６７】
レコードＲ５８は、分類種別「感情」の係数および３段階の基準の内容を示している。分類種別「感情」の係数は「１」に設定されている。また、分類種別「感情」について、コンテンツキーワード群６５１に含まれる喜怒哀楽の種類およびその強さと、メールキーワード群５０１に含まれる喜怒哀楽の種類およびその強さが一致する場合、ポイントに「５」が設定されている。また、喜怒哀楽の強さは一致しないが、種類が一致する場合、ポイントに「３」が設定されている。また、喜怒哀楽の種類が一致しない場合など、上記以外の場合、ポイントに「０」が設定されている。
【００６８】
図６および図７は、本発明の実施の形態１における携帯電話機１でメールにコンテンツを添付するときの処理手順を示すフローチャートである。
【００６９】
まず、メール作成手段１０は、既に送信先アドレス、題名、本文等が入力された送信対象メール１０１にコンテンツを添付する旨の操作が行われたことに基づいて、キーワード抽出手段２０に送信対象メール１０１を出力する。
【００７０】
次に、キーワード抽出手段２０は、メール作成手段１０から出力された送信対象メール１０１の送信先アドレス、題名、本文について語句解析によって単語に分解した後、名詞、助詞、絵文字等に分けて、名詞と絵文字を抽出する（ステップＳ６１）。
【００７１】
次に、キーワード抽出手段２０は、計時手段３０に取得要求を出力し、現在日時を示す日時情報３０１を取得する（ステップＳ６２）。
【００７２】
次に、キーワード抽出手段２０は、位置情報取得手段４０に取得要求を出力し、現在地を示す位置情報４０１を取得する（ステップＳ６３）。
【００７３】
次に、キーワード抽出手段２０は、送信対象メール１０１から抽出した名詞および絵文字と、日時情報３０１と、位置情報４０１とをキーワード２０１としてキーワード分類手段５０に出力する。
【００７４】
次に、キーワード分類手段５０は、分類情報蓄積手段５５を参照し、キーワード抽出手段２０から受信したキーワード２０１（名詞、絵文字、日時情報３０１および位置情報４０１）に対応する分類種別５５１をそれぞれ取得する（ステップＳ６４）。
【００７５】
次に、キーワード分類手段５０は、キーワード２０１と、分類情報蓄積手段５５から取得した分類種別５５１とを関連付けたメールキーワード群５０１をコンテンツ検索手段６０に出力する。
【００７６】
次に、コンテンツ検索手段６０は、コンテンツ蓄積手段６５を参照し、コンテンツが蓄積されているか否かを判定する（ステップＳ６５）。
【００７７】
コンテンツ蓄積手段６５にコンテンツが蓄積されている場合（ステップＳ６５、Ｙｅｓ）、コンテンツ検索手段６０は、コンテンツに関連付けられているコンテンツキーワード群６５１を取得する（ステップＳ６６）。
【００７８】
一方、コンテンツ蓄積手段６５にコンテンツが蓄積されていない場合（ステップＳ６５、Ｎｏ）、メールにコンテンツを添付することができないため、処理を終了する。
【００７９】
次に、コンテンツ検索手段６０は、メールキーワード群５０１と、コンテンツキーワード群６５１とを比較し、図５に示す算出テーブルを用いてスコアを算出する（ステップＳ６７）。
【００８０】
次に、コンテンツ検索手段６０は、コンテンツ蓄積手段６５を参照し、蓄積されている全てのコンテンツに関連付けられたコンテンツキーワード群６５１についてスコアを算出したか否かを判定する（ステップＳ６８）。
【００８１】
全てのコンテンツに関連付けられたコンテンツキーワード群６５１についてスコアを算出していない場合（ステップＳ６８、Ｎｏ）、コンテンツ検索手段６０は、スコアを算出していないコンテンツについても同様にコンテンツキーワード群６５１を取得し（ステップＳ６６）、スコアを算出する（ステップＳ６７）。
【００８２】
一方、全てのコンテンツに関連付けられたコンテンツキーワード群６５１についてスコアを算出している場合（ステップＳ６８、Ｙｅｓ）、コンテンツ検索手段６０は、コンテンツ蓄積手段６５に蓄積されているコンテンツ６５２を算出テーブルで用いて算出したスコアが高い順番に取得する（ステップＳ６９）。
【００８３】
次に、コンテンツ検索手段６０は、コンテンツ６５２と、候補順位とを対応付けた検索結果情報６０１をコンテンツ選択手段７０に出力する。
【００８４】
次に、コンテンツ選択手段７０は、コンテンツ検索手段６０から出力された検索結果情報６０１に含まれる候補順位に従って、コンテンツ６５２を一覧形式で上位から配置した候補一覧情報７０１を提示手段９０に出力する（ステップＳ７０）。
【００８５】
次に、コンテンツ選択手段７０は、入力手段８０からの選択指示８０１に基づき、送信対象メール１０１に添付するコンテンツが決定されたか否かを判定する（ステップＳ７１）。
【００８６】
送信対象メール１０１に添付するコンテンツが決定されていない場合（ステップＳ７１、Ｎｏ）、ステップＳ７１の処理を繰り返す。
【００８７】
一方、送信対象メール１０１に添付するコンテンツが決定された場合（ステップＳ７１、Ｙｅｓ）、選択されたコンテンツを添付コンテンツ７０２として、メール作成手段１０に出力し、処理を終了する。
【００８８】
図８は、本実施の形態１におけるメール作成手段１０が記憶している送信先アドレス、題名、本文が入力された送信対象メール１０１の内容の一例を示す図である。なお、ここでは、送信元および送信先の欄には、送信元アドレスおよび送信先アドレスに対応して電話帳に登録されている名前が表示されているものとする。
【００８９】
送信対象メール１０１は、送信元（Ｆｒｏｍ）に「松下太郎」、送信先（Ｔｏ）に「佐藤四郎」、題名（Ｓｕｂ）に「海に行ってきました」、本文に「今日、○○浜に行ってきました。（改行）海で泳いだりビーチバレーをして、ずっと外で遊んでいたら、鈴木次郎が日焼けしすぎて、大変なことになってしまった。（改行）あと、帰りに○○浜の近くでお好み焼きを食べたら、とてもおいしかった（絵文字「喜び（強）」）オススメだよ。」が、それぞれ入力されているものとする。
【００９０】
ここで、図８に示す送信対象メール１０１にコンテンツを添付するときの携帯電話機１の処理手順について、図６および図７に示すフローチャートを用いて説明する。なお、図２に示す分類種別５５１と、各分類種別５５１に属するキーワード２０１とが分類情報蓄積手段５５に蓄積されており、図３および図４に示すコンテンツＣ３１〜Ｃ３３およびコンテンツキーワード群ＣＫＷ４１〜ＣＫＷ４３がコンテンツ蓄積手段６５に蓄積されているものとして説明する。
【００９１】
まず、メール作成手段１０は、送信対象メール１０１にコンテンツを添付する旨の操作が行われたことに基づいて、キーワード抽出手段２０に送信対象メール１０１を出力する。
【００９２】
次に、キーワード抽出手段２０は、メール作成手段１０から受信した送信対象メール１０１について語句解析によって単語に分解した後、名詞、助詞、絵文字等に分けて、名詞と絵文字を抽出する（ステップＳ６１）。
【００９３】
図９は、本実施の形態１におけるキーワード抽出手段２０が、図８に示す送信対象メール１０１から名詞と絵文字を抽出した結果の内容を示す図である。
【００９４】
キーワード抽出手段２０は、送信対象メール１０１から「松下太郎、佐藤四郎、海、今日、○○浜、ビーチバレー、外、鈴木次郎、お好み焼き、（絵文字「喜び（強）」）」をキーワード２０１として抽出する。
【００９５】
次に、キーワード抽出手段２０は、計時手段３０に取得要求を出力し、現在日時を示す日時情報３０１を取得する（ステップＳ６２）。ここでは例として、日時情報３０１「２００５年８月３日」を取得したものとする。
【００９６】
次に、キーワード抽出手段２０は、位置情報取得手段４０に取得要求を出力し、現在地を示す位置情報４０１を取得する（ステップＳ６３）。ここでは例として、位置情報４０１「△△県××市□□町」を取得したものとする。
【００９７】
次に、キーワード抽出手段２０は、送信対象メール１０１から抽出した名詞および絵文字と、日時情報３０１と、位置情報４０１とをキーワード２０１としてキーワード分類手段５０に出力する。
【００９８】
図１０は、本発明の実施の形態１におけるキーワード抽出手段２０が、キーワード分類手段５０に出力するキーワード２０１の内容を示す図である。
【００９９】
キーワード抽出手段２０は、計時手段３０から取得した日時情報３０１（メール作成日「２００５年８月３日」）および位置情報取得手段４０から取得した位置情報４０１（メール作成場所「△△県××市□□町」）を図９に示すキーワード２０１に加えて、キーワード分類手段５０に出力する。
【０１００】
次に、キーワード分類手段５０は、分類情報蓄積手段５５を参照し、キーワード抽出手段２０から受信したキーワード２０１（名詞、絵文字、日時情報３０１および位置情報４０１）に対応する分類種別５５１をそれぞれ取得する（ステップＳ６４）。
【０１０１】
例えば、キーワード２０１に含まれる「松下太郎」については、図２に示す分類情報蓄積手段５５を参照し、分類種別５５１「人物」を取得する。また、キーワード２０１に含まれる「○○浜」については、分類情報蓄積手段５５を参照し、分類種別５５１「場所」を取得する（ステップＳ６４）。
【０１０２】
図１１は、本発明の実施の形態１におけるキーワード分類手段５０が、図１０に示すキーワード２０１と、分類種別５５１とをそれぞれ関連付けたメールキーワード群ＭＫＷ１１１の内容を示す図である。
【０１０３】
各分類種別に属するキーワードとして、分類種別「日時」に「２００５年８月３日、今日」、分類種別「場所」に「△△県××市□□町、○○浜」、分類種別「人物」に「松下太郎、佐藤四郎、鈴木次郎」、分類種別「風景」に「海」、分類種別「動物」に「なし」、分類種別「物体」に「お好み焼き」、分類種別「その他文字」に「ビーチバレー、外」、分類種別「感情」に「喜び（強）」がそれぞれ属する。
【０１０４】
次に、キーワード分類手段５０は、図１１に示す内容をメールキーワード群ＭＫＷ１１１としてコンテンツ検索手段６０に出力する。
【０１０５】
次に、コンテンツ検索手段６０は、コンテンツ蓄積手段６５を参照し、コンテンツが蓄積されているか否かを判定する（ステップＳ６５）。
【０１０６】
ここでは、コンテンツ蓄積手段６５にコンテンツＣ３１〜Ｃ３３が蓄積されているため（ステップＳ６５、Ｙｅｓ）、コンテンツ検索手段６０は、まずコンテンツＣ３１に関連付けられているコンテンツキーワード群ＣＫＷ４１を取得する（ステップＳ６６）。
【０１０７】
次に、コンテンツ検索手段６０は、メールキーワード群ＭＫＷ１１１と、コンテンツキーワード群ＣＫＷ４１とを比較し、図５に示す算出テーブルを用いてスコアを算出する（ステップＳ６７）。
【０１０８】
具体的には、まず、コンテンツ検索手段６０は、メールキーワード群ＭＫＷ１１１の分類種別「日時」に属するメール作成日「２００５年８月３日」と、コンテンツキーワード群ＣＫＷ４１の分類種別「日時」に属する画像作成日「２００５年５月１５日」とが一致するか否か判定する。ここでは、両者が一致しないため、コンテンツ検索手段６０は、分類種別「日時」の係数「５」と、ポイント「０」とを掛け合わせた値「０」をスコアＳＣＲ１に記憶する。
【０１０９】
次に、コンテンツ検索手段６０は、メールキーワード群ＭＫＷ１１１の分類種別「場所」に属する場所名または町村「△△県××市□□町、○○浜」と、コンテンツキーワード群ＣＫＷ４１の分類種別「場所」に属する場所名または町村「××カントリー倶楽部（○○県△△市××町）」とが一致するか否か判定する。ここでは、両者が一致しないため、コンテンツ検索手段６０は、分類種別「場所」の係数「３」と、ポイント「０」とを掛け合わせた値「０」をスコアＳＣＲ１に加算して記憶する。
【０１１０】
次に、コンテンツ検索手段６０は、メールキーワード群ＭＫＷ１１１の分類種別「人物」に属する人物名「松下太郎」と、コンテンツキーワード群ＣＫＷ４１の分類種別「人物」に属する人物名「松下太郎」とが一致するか否か判定する。ここでは、両者が一致するため、コンテンツ検索手段６０は、分類種別「人物」の係数「５」と、ポイント「５」とを掛け合わせた値「２５」をスコアＳＣＲ１に加算して記憶する。
【０１１１】
次に、コンテンツ検索手段６０は、メールキーワード群ＭＫＷ１１１の分類種別「風景」に属する風景名「海」と、コンテンツキーワード群ＣＫＷ４１の分類種別「風景」に属する風景名「山」とが一致するか否か判定する。ここでは、両者が一致しないが、コンテンツキーワード群ＣＫＷ４１に風景名が含まれているため、コンテンツ検索手段６０は、分類種別「風景」の係数「１」と、ポイント「３」とを掛け合わせた値「３」をスコアＳＣＲ１に加算して記憶する。
【０１１２】
次に、コンテンツ検索手段６０は、メールキーワード群ＭＫＷ１１１の分類種別「動物」に属する動物名が存在せず、コンテンツキーワード群ＣＫＷ４１の分類種別「動物」に属する動物名も存在しないため、コンテンツ検索手段６０は、分類種別「動物」の係数「３」と、ポイント「０」とを掛け合わせた値「０」をスコアＳＣＲ１に加算して記憶する。
【０１１３】
次に、コンテンツ検索手段６０は、メールキーワード群ＭＫＷ１１１の分類種別「物体」に属する物体名「お好み焼き」と、コンテンツキーワード群ＣＫＷ４１の分類種別「物体」に属する物体名「ゴルフクラブ」とが一致するか否か判定する。ここでは、両者が一致しないが、コンテンツキーワード群ＣＫＷ４１に物体名が含まれているため、コンテンツ検索手段６０は、分類種別「物体」の係数「２」と、ポイント「３」とを掛け合わせた値「６」をスコアＳＣＲ１に加算して記憶する。
【０１１４】
次に、コンテンツ検索手段６０は、メールキーワード群ＭＫＷ１１１の分類種別「その他文字」に属する文字「ビーチバレー、外、帰り」と、コンテンツキーワード群ＣＫＷ４１の分類種別「その他文字」に属する文字「なし」とが一致するか否か判定する。ここでは、コンテンツキーワード群ＣＫＷ４１に文字が存在しないため、コンテンツ検索手段６０は、分類種別「その他文字」の係数「２」と、ポイント「０」とを掛け合わせた値「０」をスコアＳＣＲ１に加算して記憶する。
【０１１５】
次に、コンテンツ検索手段６０は、メールキーワード群ＭＫＷ１１１の分類種別「感情」に属する喜怒哀楽の種類およびその強さ「喜び（強）」と、コンテンツキーワード群ＣＫＷ４１の分類種別「感情」に属する喜怒哀楽の種類およびその強さ「なし」とが一致するか否か判定する。ここでは、両者が一致しないため、コンテンツ検索手段６０は、分類種別「感情」の係数「１」と、ポイント「０」とを掛け合わせた値「０」をスコアＳＣＲ１に加算して記憶する。
【０１１６】
上記処理により、コンテンツ検索手段６０は、メールキーワード群ＭＫＷ１１１と、コンテンツＣ３１のコンテンツキーワード群ＣＫＷ４１とのスコアＳＣＲ１「３４」を算出して記憶する。
【０１１７】
次に、コンテンツ検索手段６０は、コンテンツ蓄積手段６５を参照し、蓄積されている全てのコンテンツのコンテンツキーワード群６５１についてスコアの合計を算出したか否かを判定する（ステップＳ６８）。
【０１１８】
ここでは、コンテンツＣ３２およびＣ３３のコンテンツキーワード群６５１についてスコアの合計を算出していないため（ステップＳ６８、Ｎｏ）、コンテンツ検索手段６０は、スコアの合計を算出していないコンテンツについても同様にコンテンツキーワード群６５１を取得し（ステップＳ６６）、スコアの合計を算出する（ステップＳ６７）。
【０１１９】
コンテンツＣ３２およびＣ３３のコンテンツキーワードＣＫＷ４２およびＣＫＷ４３についても、コンテンツＣ３１の場合と同様の手順によりスコアの合計を算出するため、ここでは具体的な説明を省略するが、コンテンツ検索手段６０は、コンテンツＣ３２のスコアＳＣＲ２として「７６」、コンテンツＣ３３のスコアＳＣＲ３として「８０」をそれぞれ算出する。
【０１２０】
次に、全てのコンテンツのコンテンツキーワード群６５１についてスコアの合計を算出している場合（ステップＳ６８、Ｙｅｓ）、コンテンツ検索手段６０は、スコアの合計が高い順番にコンテンツを取得する（ステップＳ６９）。
【０１２１】
ここでは、最もスコアが高いコンテンツＣ３３、次にスコアが高いコンテンツＣ３２、次にスコアが高いコンテンツＣ３１の順番で取得する（ステップＳ６９）。
【０１２２】
次に、コンテンツ検索手段６０は、コンテンツＣ３１〜Ｃ３３と、候補順位とを対応付けた検索結果情報６０１をコンテンツ選択手段７０に出力する。
【０１２３】
図１２は、本発明の実施の形態１におけるコンテンツ検索手段６０がコンテンツ選択手段７０に出力する検索結果情報６０１の内容を示す図である。
【０１２４】
ここでは、候補順位「１」にコンテンツ「Ｃ３３」、候補順位「２」にコンテンツ「Ｃ３２」、候補順位「３」にコンテンツ「Ｃ３１」がそれぞれ対応付けられている。
【０１２５】
次に、コンテンツ選択手段７０は、コンテンツ検索手段６０から出力された検索結果情報６０１に含まれる候補順位に従って、一覧形式で上位からコンテンツＣ３３、コンテンツＣ３２、コンテンツＣ３１を配置した候補一覧情報７０１を提示手段９０に出力する（ステップＳ７０）。
【０１２６】
図１３は、本発明の実施の形態１における提示手段９０が候補一覧情報７０１に従って表示する内容の一例を示す図である。
【０１２７】
提示手段９０は、候補一覧情報７０１に含まれる候補順位に従って、画面上位からコンテンツＣ３３、コンテンツＣ３２、コンテンツＣ３１が配置された一覧を表示する。ここでは、画面上位から候補順位「１」のコンテンツＣ３３の内容、候補順位「２」のコンテンツＣ３２の内容、候補順位「３」のコンテンツＣ３１の内容が表示されている。
これにより、送信対象メール１０１の内容に対して関連性が高いコンテンツを画面上位から優先して配置することで、ユーザ自身がコンテンツを検索する操作を簡略化することができる。本発明の実施の形態１では、３つのコンテンツＣ３１〜Ｃ３３がコンテンツ蓄積手段６５に蓄積されていた場合について説明したが、コンテンツが多く蓄積されていれば、より利便性が向上する。
【０１２８】
次に、コンテンツ選択手段７０は、入力手段８０からの選択指示８０１に基づき、送信対象メール１０１に添付するコンテンツが決定された場合（ステップＳ７１、Ｙｅｓ）、選択されたコンテンツを添付コンテンツ７０２として、メール作成手段１０に出力し、処理を終了する。
【０１２９】
なお、上記実施の形態１では、コンテンツ選択手段７０が選択されたコンテンツを送信対象メール１０１に添付するとしたが、コンテンツ選択手段７０によって選択された複数のコンテンツを１つのコンテンツとして自動的に合成したり、コマ送りの動画を自動的に作成したりしてもよい。また、特定の候補順位までのコンテンツを１つのコンテンツとして自動的に合成したり、コマ送りの動画を自動的に作成したりしてもよい。これにより、コンテンツを合成するときに、送信対象メール１０１の内容に対して関連性の高い複数のコンテンツをユーザ自身が検索する操作を簡略化することができる。
【０１３０】
なお、また、上記実施の形態１では、送信対象メール１０１からキーワード２０１を抽出したが、返信時には先に受信したメールからメールキーワード群を抽出してもよい。
【０１３１】
以上のように、本実施の形態１における携帯電話機１によれば、送信対象のメールに対して、関連性の高いコンテンツから優先して提示するため、ユーザ自身がコンテンツを検索する操作を簡略化し、利便性を向上させることができる。
【産業上の利用可能性】
【０１３２】
以上のように、本発明にかかる通信端末装置及び情報提示方法は、送信対象のメールに対して、関連性の高いコンテンツから優先して提示するため、ユーザ自身がコンテンツを検索する操作を簡略化することができるという効果を有し、メールに画像や音楽等のコンテンツを添付することのある携帯電話機等として有用である。
【図面の簡単な説明】
【０１３３】
【図１】本発明の実施の形態１における携帯電話機１の構成を示すブロック図
【図２】本発明の実施の形態１における分類情報の内容を示す図
【図３】本発明の実施の形態１におけるコンテンツＣ３１〜Ｃ３３の内容を示す図
【図４】本発明の実施の形態１におけるコンテンツキーワード群ＣＫＷ４１〜ＣＫＷ４３の内容を示す図
【図５】本発明の実施の形態１におけるスコアを算出するテーブルを示す図
【図６】本発明の実施の形態１における携帯電話機１でメールにコンテンツを添付するときの処理手順を示すフローチャート
【図７】本発明の実施の形態１における携帯電話機１でメールにコンテンツを添付するときの処理手順を示すフローチャート
【図８】本実施の形態１における送信対象メール１０１の内容を示す図
【図９】本実施の形態１におけるキーワード抽出手段２０が名詞および絵文字を抽出した結果の内容を示す図
【図１０】本発明の実施の形態１におけるキーワード抽出手段２０がキーワード分類手段５０に出力するキーワード２０１の内容を示す図
【図１１】本発明の実施の形態１におけるメールキーワード群ＭＫＷ１１１の内容を示す図
【図１２】本発明の実施の形態１における検索結果情報６０１の内容を示す図
【図１３】本発明の実施の形態１における提示手段９０が表示する内容を示す図
【符号の説明】
【０１３４】
１  携帯電話機
１０  メール作成手段
２０  キーワード抽出手段
３０  計時手段
４０  位置情報取得手段
５０  キーワード分類手段
５５  分類情報蓄積手段
６０  コンテンツ検索手段
６５  コンテンツ蓄積手段
７０  コンテンツ選択手段
８０  入力手段
９０  提示手段
１００  送信手段
Ｔ２１、Ｔ５１  テーブル
Ｃ３１、Ｃ３２、Ｃ３３  コンテンツ
Ｈ３１、Ｈ３２、Ｈ３３  人物
ＣＫＷ４１、ＣＫＷ４２、ＣＫＷ４３  コンテンツキーワード群
ＭＫＷ１１１  メールキーワード群
ＳＣＲ１、ＳＣＲ２、ＳＣＲ３  スコア
【図１】
2007219903.tif 000003
【図２】
2007219903.tif 000004
【図３】
2007219903.tif 000005
【図４】
2007219903.tif 000006
【図５】
2007219903.tif 000007
【図６】
2007219903.tif 000008
【図７】
2007219903.tif 000009
【図８】
2007219903.tif 000010
【図９】
2007219903.tif 000011
【図１０】
2007219903.tif 000012
【図１１】
2007219903.tif 000013
【図１２】
2007219903.tif 000014
【図１３】
2007219903.tif 000015